(57)【要約】      （修正有）【課題】医療現場におけるケーブル配線による乱雑さを解消するとともに、誤りなく接続を行うことができるワイヤレス接続機器を提供する。【解決手段】ホスト機器と端末機器をワイヤレス接続するためのワイヤレス接続機器であって、本体部２００とドングル部１００とを備え、複数の本体部とドングル部のうち、ペアリングされたものの対応関係を視覚的に示す着色、端子形状、もしくは模様を、本体部とドングル部にそれぞれ施したことを特徴とする。本体部とドングル部は、ＢＬＥの規格に沿ってワイヤレス接続を行う。また、本体部にキャッシュメモリを設けるとともに、データ送受信のデータの蓄積を行うバッファリング部を設ける。蓄積後のデータがＵＳＢシリアルコントローラないしＲＳ２３２Ｃライン・ドライバ／レシーバにより読み出されてドングル部に送信され、通信の減速や中断が生じても、接続性が確保される。【選択図】図１
0003226084.tif 000002
【実用新案登録請求の範囲】
【請求項１】
ホスト機器と端末機器をワイヤレス接続するためのワイヤレス接続機器であって、
本体部とドングル部とを備えており、
複数の本体部とドングル部のうち、ペアリングされたものの対応関係を視覚的に示す手段を、前記本体部とドングル部にそれぞれ設けたことを特徴とするワイヤレス接続機器。
【請求項２】
前記本体部とドングル部は、ＢＬＥの規格に沿ってワイヤレス接続を行うことを特徴とする請求項１記載のワイヤレス接続機器。
【請求項３】
前記対応関係を視覚的に示す手段が着色であることを特徴とする請求項１又は２記載のワイヤレス接続機器。
【請求項４】
前記本体部にキャッシュメモリを設けるとともに、データ送受信のバッファリングを行うバッファリング部を設けたことを特徴とする請求項１〜３のいずれか一項に記載のワイヤレス接続機器。
【請求項５】
前記端末機器が、医療現場に設置された医療機器であることを特徴とする請求項１〜４のいずれか一項に記載のワイヤレス接続機器。
【考案の詳細な説明】
【技術分野】
【０００１】
本考案は、ワイヤレス接続機器に関し、特に医療用に好適なワイヤレス接続機器の改良に関する。
【背景技術】
【０００２】
ワイヤレス接続機器としては、例えば、下記特許文献１記載の「無線アダプタ」がある。これは、ワイヤレス通信機能を有さない既存のＵＳＢ搭載機器においても、簡単にワイヤレスＵＳＢ機能を使用できるようにすることを目的としており、ホスト側に接続できるホストコネクタと、ターゲットデバイスに接続できるデバイスコネクタとを備え、ホストに接続されているときには充電池を充電し、デバイスに接続されているときは電源供給をするように制御するので、ホスト側デバイス側のいずれでも接続が可能となり、無線通信機能を有さない既存のＵＳＢ搭載機器においても、簡単にワイヤレスＵＳＢ機能を使用できるようにしたものである。
【０００３】
下記特許文献２記載の「ワイヤレスＵＳＢ通信方法及びその装置」は、新しくホストとデバイス間にてＣＣの関連付けを行う場合、ケーブルアソシエーション操作を行わずにホストとデバイス間にてワイヤレスＵＳＢ通信を容易に実行することを目的としており、ワイヤレスＵＳＢ通信を開始する前に、デバイスとホスト間でＣＣを用いてアソシエーションを行うワイヤレスＵＳＢ通信方法であって、前記ＣＣを予め前記デバイス側のCC記憶領域及び前記ホスト側のCC記憶領域に書き込んでおき、前記CC記憶領域に書き込まれた前記ＣＣを使用して、デバイスとホスト間でアソシエーションを自動的に実行してワイヤレスＵＳＢ通信を瞬時に開始するようにしたものである。
【先行技術文献】
【特許文献】
【０００４】
【特許文献１】特開2009-295022号公報
【特許文献２】特開2009-206972号公報
【考案の概要】
【考案が解決しようとする課題】
【０００５】
ところで、多くの医療機器は、測定結果をＲＳ２３２ＣベースのＵＳＢケーブルを使って、ＰＣ（パソコン）などのホストマシンに転送しているが、ケーブルを使ってＰＣと医療機器を接続すると、次のような問題点がある。
ａ，ＰＣに接続された様々な医療機器と電気的に一体になってしまい、医療機器の電気的安全性の要求事項がＰＣに接続されたすべての医療機器に適用されてしまう。
ｂ，手術室や病室などで、多くのケーブルが乱雑に配線されてしまうことになり、ケーブルに足を引っ掛けるなど、足場の環境が悪化する原因となる。
ｃ，医療機器と患者の配置がケーブルによって制限されてしまう恐れがある。
【０００６】
本考案は、かかる点に鑑みてなされたもので、医療現場におけるケーブル配線による乱雑さを解消するとともに、誤りなく接続を行うことができる医療用ワイヤレスＵＳＢを提供することを、その目的とする。
【課題を解決するための手段】
【０００７】
本考案は、ホスト機器と端末機器をワイヤレス接続するためのワイヤレス接続機器であって、本体部とドングル部とを備えており、複数の本体部とドングル部のうち、ペアリングされたものの対応関係を視覚的に示す手段を、前記本体部とドングル部にそれぞれ設けたことを特徴とする。
【０００８】
主要な形態の一つによれば、前記本体部とドングル部は、ＢＬＥの規格に沿ってワイヤレス接続を行うことを特徴とする。他の形態によれば、前記対応関係を視覚的に示す手段が着色であることを特徴とする。更に他の形態によれば、前記本体部にキャッシュメモリを設けるとともに、データ送受信のバッファリングを行うバッファリング部を設けたことを特徴とする。更には、前記端末機器が、医療現場に設置された医療機器であることを特徴とする。本考案の前記及び他の目的，特徴，利点は、以下の詳細な説明及び添付図面から明瞭になろう。
【考案の効果】
【０００９】
本考案によれば、ホスト機器と医療機器にドングル部と本体部を接合してワイヤレスで接続することとしたので、医療現場におけるケーブル配線の乱雑さを解消することができ、また、ドングル部と本体部に対応関係を示す着色等を施すこととしたので、接続を誤りなく行うことができる。
【図面の簡単な説明】
【００１０】
【図１】本考案の一実施例の基本的な構成を示すブロック図である。
【図２】前記実施例における本体部の構成を示すブロック図である。
【図３】前記実施例の適用例を示すブロック図である。
【図４】本考案の他の実施例を示すブロック図である。
【考案を実施するための形態】
【００１１】
以下、本考案を実施するための最良の形態を、実施例に基づいて詳細に説明する。
【実施例１】
【００１２】
図１(A)には、本実施例の基本的な構成が示されている。同図のように、医療用ワイヤレスＵＳＢは、ＰＣ１０のＵＳＢソケット（ＵＳＢ端子）に接合される送受信用のドングル部１００と、医療機器２０のＲＳ２３２ＣソケットにＲＳＳ２３２Ｃ／ＵＳＢ変換ケーブル２２によって接合される本体部２００とによって構成されている。ドングル部１００と本体部２００は、例えばＢＬＥ（Bluetooth（登録商標） Low Energy）のような通信規格によって通信が行われるようになっている。
【００１３】
これらのうち、ドングル部１００は、同図(B)に示すように、ＢＬＥアンテナ１０２と、ＢＬＥモジュール１０４とによって構成されており、ＰＣ１０のＵＳＢソケットに接続するためのＵＳＢプラグ１０６を備えている。一方、本体部２００は、同図(C)に示すように、ＢＬＥアンテナ２０２とＢＬＥモジュール２０４の他に、ＣＰＵ２１０と乾電池電源２２０を備えており、ＵＳＢケーブル２２のプラグに接続するためのＵＳＢソケット２３０を備えている。ＢＬＥモジュール１０４，２０４は、ペアリング，ゲイン調整，Ａ／Ｄ変換，その他のＢＬＥ機能を備えており、ＢＬＥアンテナ１０２，２０２を内蔵していてもよい。
【００１４】
図２(A)には、前記ＣＰＵ２１０の構成例が示されており、前記ＣＰＵ２１０は、キャッシュメモリ２１２と、ＵＳＢシリアルコントローラ２１４を備えている。ＣＰＵ２１０で実行されるファームウエアを工夫することで、
ａ，本体部２００の乾電池電源２２０がＯＮとなると、予めペアリングしているドングル部１００との接続を自動的に行う。
ｂ，ＵＳＢシリアルコントローラ２１４によるデータの入出力時にキャッシュメモリ２１２による蓄積を行うことで、外乱等によって接続が切れても自動的に再接続を行って蓄積したデータを供給する。
といった動作が行われるようになっている。この例のＵＳＢケーブル２２は、ＲＳ２３２ＣとＵＳＢの変換ケーブルであって、一方が前記ＵＳＢソケット２３０に接合するＵＳＢプラグ２４となっており、他方が医療機器２０のＲＳ２３２Ｃソケットに接合するＲＳ２３２Ｃプラグ２６となっている。
【００１５】
同図(B)は、本体部の他の例で、本体部２０１のＣＰＵ２１１は、上述したＵＳＢシリアルコントローラ２１４の代わりにＲＳ２３２Ｃライン・ドライバ／レシーバ２１５を備えている。そして、ＲＳ２３２Ｃソケット２３１にＲＳ２３２Ｃケーブル２３のＲＳ２３２Ｃプラグ２５が接合されるようになっている。医療機器側は同図(A)と同様である。この例では、医療機器２０と本体部２０１との接続がＲＳ２３２Ｃの規格となっており、ＲＳ２３２Ｃライン・ドライバ／レシーバ２１５がＵＳＢシリアルコントローラ２１４と同様の機能を奏する。
【００１６】
図３には、病室や手術室における接続の例が示されている。同図では、４つの医療機器２０Ａ〜２０Ｄがあり、これらが本体部２００Ａ〜２００Ｄ，ドングル部１００Ａ〜１００Ｄ，本体部２００Ａ〜２００Ｄをそれぞれ介してＰＣ１０に接続されている。この場合において、本実施例では、ドングル部１００Ａ〜１００Ｄと、それぞれ対応する本体部２００Ａ〜２００Ｄとに、同一の着色が施されている。例えば、ドングル部１００Ａと本体部２００Ａは黄色，ドングル部１００Ｂと本体部２００Ｂは緑色，ドングル部１００Ｃと本体部２００Ｃはピンク色，ドングル部１００Ｄと本体部２００Ｄは青色，といった具合である。
【００１７】
次に、本実施例の全体的動作について説明する。最初に、ドングル部１００のＢＬＥモジュール１０４と本体部２００のＢＬＥモジュール２０４との間で、ペアリング，更にはボンディングの処理が行われる。これにより、ドングル部１００Ａ〜１００Ｄと、本体部２００Ａ〜２００Ｄとが、それぞれペアリングされる。また、ボンディングを行うことで、データ伝送中に通信が途絶しても、通信相手が決まっているので、再接続に時間を要しない。本実施例によれば、同一色が施されたドングル部１００Ａ〜１００Ｄと本体部２００Ａ〜２００Ｄとがペアリングされるので、ドングル部１００Ａ〜１００Ｄと本体部２００Ａ〜２００Ｄとのペアの関係を視覚的に知ることができる。
【００１８】
これにより、ＰＣ１０と接続したい医療機器２０Ａ〜２０Ｄとの間に、ドングル部１００とペアリングされた本体部２００を接合するだけで無線接続され、ケーブルが不要となる。このため、室内の足場環境が改善される。室内におけるＰＣ１０や医療機器２０Ａ〜２０Ｄの配置，患者の配置の制限が緩和されるようになる。
【００１９】
次に、本実施例では、医療機器２０からＰＣ１０へデータを伝送する際に、本体部２００，２０１のＣＰＵ２１０，２１１のキャッシュメモリ２１２によるデータの蓄積（バッファリング）が行われ、蓄積後のデータがＵＳＢシリアルコントローラ２１４ないしＲＳ２３２Ｃライン・ドライバ／レシーバ２１５によって読み出されてドングル部１００に送信される。このため、通信の減速や中断が生じても、連続してデータがＰＣ１０に供給されるようなる。これにより、ＰＣ１０と医療機器２０との接続性の確保と、データロスを最小限化を図ることができる。
【００２０】
＜他の実施例＞……本考案には数多くの実施例があり、以上の開示に基づいて多様に改変することが可能である。例えば、次のようなものも含まれる。
(1)前記実施例では、複数の医療機器２０を一つのＰＣ１０に接続する場合を示したが、複数のＰＣ１０にそれぞれ医療機器２０を接続するような場合を想定すると、ドングル部１００と本体部２００の色分けによる接続の識別が極めて有効である。例えば、図４に示すように、複数のＰＣ１０Ａ，１０Ｂが複数あり、ＰＣ１０Ａには医療機器２０Ｐ，２０Ｑ，２０Ｒを接続し、ＰＣ１０Ｂには医療機器２０Ｓ，２０Ｔを接続する場合を想定すると、ドングル部１００Ｐ〜１００Ｔと本体部２００Ｐ〜２００Ｔとが色分けされていることから、ＰＣ１０Ａ，１０Ｂとの接続のミスを低減することができる。
(2)前記実施例では、医療機器２０がＲＳ２３２Ｃ仕様の端子（ソケット）を有している場合を示したが、他の仕様の端子を備えている場合も同様に変換を行うことで、良好にＰＣ１０との接続を行うことができる。また、複数の医療機器２０の端子が異なっており、各種仕様の端子が混在する場合であっても、変換ケーブル２２を適宜用意することで対応可能である。
(3)前記実施例では、ＰＣ１０に医療機器２０を接続する場合を想定したが、ＰＣ１０以外の各種のホスト機器に適用してよい。また、ＰＣ１０に本体部２００を接続し、医療機器２０側にドングル部１００を接続してもよいし、医療機器同士の接続などにも本考案は適用可能である。
(4)前記実施例で示したＰＣ１０とドングル部１００との接続仕様や、医療機器２０と本体部２００との接続仕様は一例であり、ＵＳＢやＲＳ２３２Ｃ以外の規格のものであってもよい。また、前記実施例では、ＢＬＥの規格を利用してワイヤレス接続を行ったが、他の近距離無線通信の規格を適用してもよい。なお、ＢＬＥの規格を利用する場合に、本体部とドングル部の各ペア固定の周波数を割り振り、ホッピングをなくすことで、一旦接続した回線が切れづらくなるようにするとよい。
(5)前記実施例では、複数のドングル部と本体部に着色を施して対応関係を示すこととしたが、目視により判別可能な端子の形状や模様によって対応関係を視覚的に示すようにしてもよい。
(6)医療機器２０としては、例えば、麻酔患者の脳波をリアルタイムに解析するBISモニター，生体情報モニター，心電計，脳波計などがある。
【産業上の利用可能性】
【００２１】
本考案によれば、ホスト機器と医療機器にドングル部と本体部を接合してワイヤレスで接続することとしたので、医療現場におけるケーブル配線の乱雑さを解消することができ、また、ドングル部と本体部に対応関係を示す着色等を施すこととしたので、接続を誤りなく行うことができ、病室や手術室における機器間の接続に好適である。
【符号の説明】
【００２２】
１０，１０Ａ，１０Ｂ：ＰＣ
２０，２０Ａ〜２０Ｄ,２０Ｐ〜２０Ｔ：医療機器
２２，２３：ケーブル
２４：ＵＳＢプラグ
２５，２６：ＲＳ２３２Ｃプラグ
１００，１００Ａ〜１００Ｄ，１００Ｐ〜１００Ｔ：ドングル部
１０２，２０２：ＢＬＥアンテナ
１０４，２０４：ＢＬＥモジュール
１０６：ＵＳＢプラグ
２００，２００Ａ〜２００Ｄ，２００Ｐ〜２００Ｔ，２０１：本体部
２１０，２１１：ＣＰＵ
２１２：キャッシュメモリ
２１４：ＵＳＢシリアルコントローラ
２１５：ＲＳ２３２Ｃライン・ドライバ／レシーバ
２２０：乾電池電源
２３０，２３１：ソケット
【図１】
0003226084.tif 000003
【図２】
0003226084.tif 000004
【図３】
0003226084.tif 000005
【図４】
0003226084.tif 000006
【手続補正書】
【提出日】令和2年2月20日(2020.2.20)
【手続補正１】
【補正対象書類名】実用新案登録請求の範囲
【補正対象項目名】全文
【補正方法】変更
【補正の内容】
【実用新案登録請求の範囲】
【請求項１】
ホスト機器と端末機器をワイヤレス接続するためのワイヤレス接続機器であって、
本体部とドングル部とを備えており、
複数の本体部とドングル部のうち、ペアリングされたものの対応関係を視覚的に示す着色，端子形状，もしくは模様を、前記本体部とドングル部にそれぞれ施したことを特徴とするワイヤレス接続機器。
【請求項２】
前記本体部とドングル部は、ＢＬＥの規格に沿ってワイヤレス接続を行うことを特徴とする請求項１記載のワイヤレス接続機器。
【請求項３】
前記本体部にキャッシュメモリを設けるとともに、データ送受信のバッファリングを行うバッファリング部を設けたことを特徴とする請求項１又は２のいずれか一項に記載のワイヤレス接続機器。
【請求項４】
前記端末機器が、医療現場に設置された医療機器であることを特徴とする請求項１〜３のいずれか一項に記載のワイヤレス接続機器。